【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
ゴルフボールにおいて、
（ａ）二重コアであって、内側コアおよび外側コア層を有し、上記内側コアは外側表面および幾何中心を具備し、上記外側コア層は外側表面および内側表面を有し、上記内側コアはゴム組成物を有し、上記外側コア層はポリエステルに基づく熱可塑性エラストマー組成物を有し、上記ポリエステルに基づく組成物は、
（ｉ）４０から９９重量％のポリエステル熱可塑性エラストマーと、
（ｉｉ）１から６０重量％の可塑剤とを有し、
上記内側コアの上記中心および上記外側コア層の表面が各々硬度を有し、上記外側コア層の上記表面の硬度が上記内側コアの上記中心硬度より大きい、
上記二重コアと、
（ｂ）上記コアの回りに配された少なくとも１つの層を具備するカバーとを有することを特徴とするゴルフボール。
【請求項２】
ゴルフボールにおいて、
（ａ）二重コアであって、内側コアおよび外側コア層を有し、上記内側コアは外側表面および幾何中心を具備し、上記外側コア層は外側表面および内側表面を有し、上記内側コアはポリエステルに基づく熱可塑性エラストマー組成物を有し、上記外側コア層はゴム組成物を有し、上記ポリエステルに基づく組成物は、
（ｉ）４０から９９重量％のポリエステル熱可塑性エラストマーと、
（ｉｉ）１から６０重量％の可塑剤とを有し、
上記内側コアの上記中心および上記外側コア層の表面が各々硬度を有し、上記外側コア層の上記表面の硬度が上記内側コアの上記中心硬度より大きい、
上記二重コアと、
（ｂ）上記コアの回りに配された少なくとも１つの層を具備するカバーとを有することを特徴とするゴルフボール。
【請求項３】
ゴルフボールにおいて、
（ｉ）少なくとも１つの層を具備するコアと、
（ｉｉ）熱可塑性材料を有する内側カバー層であって、上記コアの回りに配され、ショアＤ中間点硬度が１５から６０の範囲であり、上記熱可塑性材料が、
（ａ）４０から９９重量％のポリエステル熱可塑性エラストマーと、
（ｂ）１から６０重量％の可塑剤とを有する、上記コアとを有する、上記内側カバー層と、
（ｉｉｉ）上記内側カバー層の回りに配された外側カバー層であって、ショアＤ表面硬度が５５から７５の範囲であり、上記外側カバー層の上記硬度が上記内側カバー層の上記硬度より大きい、上記外側カバー層とを有することを特徴とするゴルフボール。
【請求項４】
上記可塑剤は、メチルオレエート、エチルオレエート、プロピルオレエート、ブチルオレエート、およびオクチルオレエート、ならびにこれらの混合物からなるグループから選択されたアルキルオレエートである請求項１〜３のいずれかに記載のゴルフボール。
【手続補正２】
【補正対象書類名】明細書
【補正対象項目名】００１２
【補正方法】変更
【補正の内容】
【００１２】
種々の可塑剤が、ポリエステルに基づく熱可塑性組成物中に使用されて良い。１つの具体的な好ましいバージョンにおいて、可塑剤は脂肪酸エステルを有し、具体的には、アルキルオレエートを有し、より具体的には、メチルオレエート、エチルオレエート、プロピルオレエート、ブチルオレエート、およびオクチルオレエート、ならびにこれらの混合物からなるグループから選択された化合物を有する。熱可塑性組成物は好ましくは組成物の重量を基準にして約３から約５０重量％の可塑剤、より好ましくは約８から約４２重量％の可塑剤、さらに好ましくは約１０から約３０重量％の可塑剤を有する。１つのバージョンにおいて、内側コアの中心硬度は約１５から約８５ショアＣの範囲であり、外側コアの表面硬度は約２０から約９０ショアＣの範囲であり、外側コア層の表面硬度は内側コアの中心硬度より大きい。
【手続補正３】
【補正対象書類名】明細書
【補正対象項目名】０１２４
【補正方法】変更
【補正の内容】
【０１２４】
ここに記述され図説された組成物、および、ゴルフボール製品は、単に、この発明のいくつかの実施例を表すだけであることに留意されたい。当該組成物および製品について種々の変更や付加を、この発明の趣旨および範囲から逸脱することなく、行えることは当業者が理解するところである。そのような実施例のすべては添付の特許請求の範囲によりカバーされることを理解されたい。
以下、ここで説明した技術的特徴を列挙する。
［技術的特徴１］
ゴルフボールにおいて、
（ａ）二重コアであって、内側コアおよび外側コア層を有し、上記内側コアは外側表面および幾何中心を具備し、上記外側コア層は外側表面および内側表面を有し、上記内側コアはゴム組成物を有し、上記外側コア層はポリエステルに基づく熱可塑性エラストマー組成物を有し、上記ポリエステルに基づく組成物は、
（ｉ）約４０から約９９重量％のポリエステル熱可塑性エラストマーと、
（ｉｉ）約１から約６０重量％の可塑剤とを有し、
上記内側コアの上記中心および上記外側コア層の表面が各々硬度を有し、上記外側コア層の上記表面の硬度が上記内側コアの上記中心硬度より大きい、
上記二重コアと、
（ｂ）上記コアの回りに配された少なくとも１つの層を具備するカバーとを有することを特徴とするゴルフボール。
［技術的特徴２］
上記ポリエステル熱可塑性エラストマーは、ポリエステル−ポリエーテルブロックコポリマーである技術的特徴１記載のゴルフボール。
［技術的特徴３］
上記ポリエステル−ポリエーテルブロックコポリマーの曲げ弾性率は５００００ｐｓｉより小さい上記技術的特徴２記載のゴルフボール。
［技術的特徴４］
上記ポリエステルに基づく熱可塑性エラストマー組成物は、さらに、エチレンおよびα，β−不飽和カルボン酸の酸コポリマーを有し、オプションとして、アルキルアクリレートおよびメタクリレートからなるグループから選択された柔軟化モノマーと、上記組成物中のすべての酸基の約０から約１００％を中和するのに充分な量だけ存在するカチオン源とを含む技術的特徴１記載のゴルフボール。
［技術的特徴５］
上記エチレンの酸コポリマーは、酸基を含み、上記酸基が７０％を越えて中和される技術的特徴４記載のゴルフボール。
［技術的特徴６］
上記酸基の９０％以上が中和される技術的特徴４記載のゴルフボール。
［技術的特徴７］
上記可塑剤は脂肪酸エステルである技術的特徴１記載のゴルフボール。
［技術的特徴８］
上記可塑剤は、メチルオレエート、エチルオレエート、プロピルオレエート、ブチルオレエート、およびオクチルオレエート、ならびにこれらの混合物からなるグループから選択されたアルキルオレエートである技術的特徴７記載のゴルフボール。
［技術的特徴９］
上記内側コアの上記中心硬度は約１５から約８５ショアＣの範囲であり、上記外側コアの上記表面硬度は約２０から約９０ショアＣの範囲であり、上記外側コア層の上記表面硬度は上記内側コアの上記中心硬度より大きい技術的特徴１記載のゴルフボール。
［技術的特徴１０］
上記ポリエステルに基づく組成物は約１０から約３０重量％の可塑剤を有する技術的特徴１記載のゴルフボール。
［技術的特徴１１］
ゴルフボールにおいて、
（ａ）二重コアであって、内側コアおよび外側コア層を有し、上記内側コアは外側表面および幾何中心を具備し、上記外側コア層は外側表面および内側表面を有し、上記内側コアはポリエステルに基づく熱可塑性エラストマー組成物を有し、上記外側コア層はゴム組成物を有し、上記ポリエステルに基づく組成物は、
（ｉ）約４０から約９９重量％のポリエステル熱可塑性エラストマーと、
（ｉｉ）約１から約６０重量％の可塑剤とを有し、
上記内側コアの上記中心および上記外側コア層の表面が各々硬度を有し、上記外側コア層の上記表面の硬度が上記内側コアの上記中心硬度より大きい、
上記二重コアと、
（ｂ）上記コアの回りに配された少なくとも１つの層を具備するカバーとを有することを特徴とするゴルフボール。
［技術的特徴１２］
上記可塑剤は脂肪酸エステルである技術的特徴１１記載のゴルフボール。
［技術的特徴１３］
上記可塑剤は、メチルオレエート、エチルオレエート、プロピルオレエート、ブチルオレエート、およびオクチルオレエート、ならびにこれらの混合物からなるグループから選択されたアルキルオレエートである技術的特徴１２記載のゴルフボール。
［技術的特徴１４］
上記可塑剤は、エチルオレエートである技術的特徴１３記載のゴルフボール。
［技術的特徴１５］
上記ポリエステルに基づく組成物は約１０から約３０重量％の可塑剤を有する技術的特徴１１記載のゴルフボール。
［技術的特徴１６］
ゴルフボールにおいて、
（ｉ）少なくとも１つの層を具備するコアと、
（ｉｉ）熱可塑性材料を有する内側カバー層であって、上記コアの回りに配され、ショアＤ中間点硬度が約１５から約６０の範囲であり、上記熱可塑性材料が、
（ａ）約４０から約９９重量％のポリエステル熱可塑性エラストマーと、
（ｂ）約１から約６０重量％の可塑剤とを有する、上記コアとを有する、上記内側カバー層と、
（ｉｉｉ）上記内側カバー層の回りに配された外側カバー層であって、ショアＤ表面硬度が約５５から約７５の範囲であり、上記外側カバー層の上記硬度が上記内側カバー層の上記硬度より大きい、上記外側カバー層とを有することを特徴とするゴルフボール。
［技術的特徴１７］
上記可塑剤は脂肪酸エステルである技術的特徴１６記載のゴルフボール。
［技術的特徴１８］
上記可塑剤は、メチルオレエート、エチルオレエート、プロピルオレエート、ブチルオレエート、およびオクチルオレエート、ならびにこれらの混合物からなるグループから選択されたアルキルオレエートである技術的特徴１７記載のゴルフボール。
［技術的特徴１９］
上記可塑剤は、エチルオレエートである技術的特徴１８記載のゴルフボール。
［技術的特徴２０］
上記ポリエステルに基づく組成物は約１０から約３０重量％の可塑剤を有する技術的特徴１６記載のゴルフボール。